(57)【要約】【課題】  従来の甲被と鼻緒が一体化した健康履物は、凸凹道や上下坂道及び上下階段等に於て、足の形や動きの変化により甲被がよじれたりするので、その都度連動して鼻緒が後方へ引っ張られる等する為に、敏感で脆弱な部位である足指間の付け根に負荷がかかって痛みが発生して長時間の使用が困難だった。本発明は痛みの発生を防いで足指及び足指間の付け根を効率良く刺激する足指輪付き健康安全履物を提供する。【解決手段】  足の五指が露出するサンダル等の履物に於て、足の裏に当接する履物本体の表面側前部に、足の親指に填める親指輪体と足の中指に填める中指輪体及び足の小指に填める小指輪体を、それぞれ個別に独立した構造で設けたことを特徴とする足指輪付き健康安全履物。【選択図】図１
2014079544.tif 000002
【特許請求の範囲】
【請求項１】
足の五指が露出するサンダル等の履物に於て、足の裏に当接する履物本体の表面側前部に、足の親指に填める親指輪体と足の中指に填める中指輪体及び足の小指に填める小指輪体を、それぞれ個別に独立した構造で設けたことを特徴とする足指輪付き健康安全履物。
【請求項２】
足の親指に填める親指輪体の人差指側の側面に補足体を付設したことを特徴とする請求項１記載の足指輪付き健康安全履物。
【請求項３】
足の親指に填める親指輪体に付設した補足体に鼻緒を通したことを特徴とする請求項１及び請求項２に記載の足指輪付き健康安全履物。
【発明の詳細な説明】
【技術分野】
【０００１】  本発明は、足の五指が露出するサンダル等の鼻緒を有する履物、及び鼻緒を有しないで甲被を有するサンダル等の履物に係わり、特に足の五指及び五指間の付け根のつぼを刺激し、血行を良くして健康を促進すると共に、使用中に容易に脱落せずに安全に履ける足指輪付き健康安全履物に関するものである。【０００２】  従来、足の五指は第二の心臓と云われる程に重要な身体の部位であり、中でも多くのつぼが有るとされる足の五指及び五指間の付け根を刺激することでマッサ−ジ効果を得て血行が良くなり病気の予防と共に、身体の各種バランスを整えて健康を促進することから、様々な構造の健康履物が開発されている。
一例として、多数の人にピッタリ合い、親指が人差指から離れ内側に広がろうとする動きを制限せず、また五本の足指の動きを制限せず、足指の付け根を刺激し、履き込みが容易で、足指に苦痛を与えることがなく、足と一体となって早歩きをしても脱落しない足指を甲被から個別に突き出すことを可能にした履物が知られている（特許文献１参照）。
【先行技術文献】
【特許文献】
【０００３】
【特許文献１】  特開２０００−３０８４３６号広報
【発明の概要】
【発明が解決しようとする課題】
【０００４】  しかしながら、上記足指を甲被から個別に突き出すことを可能にした履物は、甲被と鼻緒部が完全に一体の構造であり、履いて外出歩行する時に平坦な地面では問題は無いが、凸凹道や上下坂道及び上下階段等では足の形や動きが変わり、それらに連動して履物本体と甲被が動いてよじれ等が生じ、その都度、甲被と一体である鼻緒部が後方等へ引っ張られる為に、足の五指間の付け根、特に足指の形状からして最も先端に位置する人差指と中指間の付け根に負荷が集中することで、敏感で脆弱な部分である付け根に痛みが生じて長時間の使用が苦痛で困難になると云う問題点があった。
更に、甲被が足の五指間の付け根部位、及び甲部位に密着した状態で被う構造であるが故に、甲被裏面と甲の表面の間に熱が生じて発汗する可能性が有り、特に夏場の使用では湿気が篭もる等して、不快で不衛生になる恐れも有ると云う問題もある。
本発明は、以上の問題点を解決するためになされたものである。
【課題を解決するための手段】
【０００５】  足の五指が露出するサンダル等の履物に於て、足の裏に当接する履物本体の表面側前部に、足の親指に填める親指輪体と中指に填める中指輪体及び小指に填める小指輪体の三体を、それぞれ個別に独立した構造で設けたことを特徴とする足指輪付き健康安全履物。
【発明の効果】
【０００６】  本発明は、足の親指に填める親指輪体と中指に填める中指輪体及び小指に填める小指輪体をそれぞれ個別に独立した構造で設けており、甲被等による他力の負荷影響を全く受けることがなく、足の五指間の付け根への痛み発生を回避すると共に、足の五指間の付け根を被う被体が無いことから極めて素足に近い状態で使用できるので、解放感が得られて衛生的であり、履き心地の良い履物として日常的に屋内外で使用しながら足の五指及び五指間の付け根を刺激し、血行を良くして健康を促進することを可能にした。
更に、本発明は足の親指と中指及び小指にそれぞれ指輪体を填めて使用する構造であるが故に、履いて使用中に通常の歩行時は勿論、早歩きをしても、海水浴場等で砂浜歩行及び海中水中歩行をしても容易に脱落しないので、岩や貝殼等での足裏のケガの防止が出来て安全確保に役立つ。
【図面の簡単な説明】
【０００７】
【図１】本発明の足指輪付き健康安全履物（鼻緒有）斜視図
【図２】足指輪付き健康安全履物（鼻緒有）を履いた状態を示す斜視図
【図３】本発明の足指輪付き健康安全履物（甲被有）斜視図
【図４】足指輪付き健康安全履物を履いた状態の中指輪体人差指側一部切欠側面断面図
【発明を実施するための形態】
【０００８】  以下、本発明の実施の形態を説明する。
（イ）最初に、足指輪付き健康安全履物（１）の左足用と右足用は、左右対称の形状で同      一の構造で形成されており、この実施の形態に於ては右足用の足指輪付き健康安全      履物（１）を図示（図１，図２，図３，図４）して説明している。
（ロ）本発明の、足指輪付き健康安全履物（１）は、足（Ａ）の五指（Ｂ，Ｃ，Ｄ，Ｅ，      Ｆ）が露出するサンダル等の履物の履物本体（２）の表面側前部に足（Ａ）の親指      （Ｂ）に填める親指輪体（４）と中指（Ｄ）に填める中指輪体（６）及び小指に填      める小指輪体（７）を、それぞれ個別に独立した構造で配設したものであり、以下      これら三体を、一番目に親指輪体（４）二番目に中指輪体（６）三番目に小指輪体      （７）に分けて順次詳しく説明する。
（ハ）一番目の親指輪体（４）は、履物本体（２）の足（Ａ）裏が当接する表面側前面の      親指（Ｂ）を載置する予定位置で、且つ親指（Ｂ）と人差指（Ｃ）の間の付け根（      Ｇ）に親指輪体（４）の当接部（４１）が当接する位置に設ける。親指輪体（４）      の当接部（４１）は付け根（Ｇ）の形状に合致するように、上部より下部が前方に      位置する丸みを帯びた緩やかな傾斜姿勢として、当接面を最大限広くすることで付      け根（Ｇ）への負荷を拡散させて痛みの発生を防ぐと共に、付け根（Ｇ）への刺激      面が広がることでマッサ−ジ効果が増大する。
そして、親指輪体（４）は親指（Ｂ）の先部分（足指の特徴として指先部は根本部      より太い）がスム−スに填め外しが出来る大きさで、親指輪体（４）の左側下端を      、履物本体（２）の表面側より裏面側に貫通させた穴に通して先端に設けた止部（      １０）で止着し、同様に親指輪体（４）の右側下端を、履物本体（２）の表面側よ      り裏面側に貫通させた穴に通して先端に設けた止部（１０）で止着して親指輪体（      ４）をア−チ形状に設ける。
尚、親指輪体（４）の左右下端を、履物本体（２）の表面側より裏面側へ開けた穴      の内部に埋め込んで、接着剤で止着してア−チ形状に設けても良い。
（ニ）親指（Ｂ）と人差指（Ｃ）間の付け根（Ｇ）は他指（Ｃ，Ｄ，Ｅ，Ｆ）間の付け根      （Ｈ，Ｉ，Ｊ）に比べて倍以上広く、また付け根（Ｇ）前付近の空間も他付け根（      Ｈ，Ｉ，Ｊ）前付近に比べて倍以上に空いている。よって、親指輪体（４）の当接      部（４１）が当接しきれない付け根（Ｇ）の空いた部分と、付け根（Ｇ）前付近の      空いた空間を埋めるべく補足体（５）を親指輪体（４）の人差指（Ｃ）側の側面に      付設する。そして、補足体（５）の付け根（Ｇ）に当接する当接部（５１）は、上      記親指輪体（４）の当接部（４１）と同一に付け根（Ｇ）の形状に合致するように      丸みを帯びた緩やかな傾斜姿勢とし、親指輪体（４）の当接部（４１）と同一状態      で付け根（Ｇ）の上記空いた部分に当接すると共に、補足体（５）全体で付け根（      Ｇ）前付近の上記空間を埋める役割をする。
尚、補足体（５）は上記と同形態で独立した単体で設けても良い。
（ホ）次に、図１と図２の鼻緒（３）を有するサンダル等の履物に於ては、鼻緒（３）を      上記親指輪体（４）に付設した補足体（５）の頂上部より開けて下部へ貫通させた      穴（８）、及びその穴（８）につながる同位置に履物本体（２）の表面側から裏面      側へ貫通させた穴に通して、鼻緒（３）先端に設けた止部（１０）で止着して鼻緒      （３）を設ける。
尚、図３と図４の鼻緒（３）を有しないで、甲被を有するサンダル等の履物に於て      は、親指輪体（４）に付設した補足体（５）には鼻緒（３）を通す穴（８）は不必      要であるが故に存在しない。
（ヘ）二番目の中指輪体（６）は、親指輪体（４）の右側斜め前方で、人差指（Ｃ）を載      置する間隔を空けた中指（６）を載置する予定位置で、且つ中指輪体（６）の中指      （Ｄ）と人差指（Ｃ）の間の付け根（Ｈ）に当接する左側当接部（６１）が付け根      （Ｈ）に当接する位置に中指輪体（６）の左側下端を止着し、更に、中指輪体（６      ）の中指（Ｄ）と薬指（Ｅ）の間の付け根（Ｉ）に当接する右側当接部（６２）が      付け根（Ｉ）に当接する位置に中指輪体（６）の右側下端を止着して中指輪体（６      ）を同位置にア−チ形状に設ける。
尚、止着方法は前記親指輪体（４）と同様であり、説明は省略する。
また、前記親指輪体（４）の当接部（４１）と同様に中指輪体（６）の左側当接部      （６１）及び右側当接部（６２）はそれぞれが当接する付け根（Ｈ）及び付け根（      Ｉ）の形状に合致するように、それぞれ上部より下部が前方に位置する丸みを帯び      た緩やかな傾斜姿勢として、当接面を最大限広くすることで付け根（Ｈ）及び付け      根（Ｉ）への負荷を拡散させて痛みの発生を防ぐと共に、付け根（Ｈ）及び付け根      （Ｉ）の刺激面が広がることでマッサ−ジ効果が増大する。
そして、中指輪体（６）は中指（Ｄ）の先部分がスム−スに填め外しが出来る大き      さの形成とする。
（ト）三番目の小指輪体（７）は、中指輪体（６）の右側斜め後方で、薬指（Ｅ）を載置      する間隔を空けた小指（Ｆ）を載置する予定位置で、且つ小指輪体（７）の小指（      Ｆ）と薬指（Ｅ）の間の付け根（Ｊ）に当接する左側当接部（７１）が付け根（Ｊ      ）に当接する位置に小指輪体（７）の左側下端を止着し、更に、小指輪体（７）の      右側下端を左側下端と平衡位置に止着して、小指輪体（７）を同位置にア−チ形状      に設ける。
尚、止着方法は親指輪体（４）及び中指輪体（６）同様であり、説明は省略する。      また、親指輪体（４）の当接部（４１）及び中指輪体（６）の左側当接部（６１）      及び右側当接部（６２）と同様に、小指輪体（７）の当接部（７１）は当接する付      け根（Ｊ）の形状に合致するように、上部より下部が前方に位置する丸みを帯びた      緩やかな傾斜姿勢として、当接面を最大限広くすることで付け根（Ｊ）への負荷を      拡散させて痛みの発生を防ぐと共に、付け根（Ｊ）の刺激面が広がることでマッサ      −ジ効果が増大する。そして、小指輪体（７）は小指（７）の先部分がスム−スに      填め外しが出来る大きさの形成とする。
（チ）親指輪体（４）と付設した補足体（５）及び中指輪体（６）と小指輪体（７）の四      体は、それぞれ伸縮性が有り軟質性の合成ゴム又は天然ゴムやシリコンスポンジ等      により、全体に角を無くした丸みを帯びた構造で形成されており、各指輪体（４，      ６，７）と補足体（５）は履物本体（２）に対して全体的に垂直姿勢とし、各指輪      体（４，６，７）と補足体（５）の各当接部（４１，５１，６１，６２，７１）は      各指間の付け根（Ｇ，Ｈ，Ｉ，Ｊ）の形状に合致する傾料姿勢となる構造で形成し      て設ける。尚、各指輪体（４，６，７）と補足体（５）が履物本体（２）の表面に      対して全体的に手前（甲側）に寝かせた傾斜姿勢として、各当接部（４１，５１，      ６１，６２，７１）が各指（Ｂ，Ｃ，Ｄ，Ｅ，Ｆ）間の付け根（Ｇ，Ｈ，Ｉ，Ｊ）      の形状に合致する傾斜姿勢となる構造に形成して設けても良い。
そして、、親指輪体（４）と補足体（５）及び中指輪体（６）と小指輪体（７）の      各四体それぞれの表面に色彩豊な絵柄等や造花等の装飾を施して足指（Ｂ，Ｄ，Ｆ      ）のおしゃれも楽しめる。
（リ）次に、足指輪体が親指輪体（４）と中指輪体（６）及び小指輪体（７）の三体であ      る理由を説明する。まず、本発明の目的であるところの足（Ａ）の五指（Ｂ，Ｃ，      Ｄ，Ｅ，Ｆ）及び五指間の付け根（Ｇ，Ｈ，Ｉ，Ｊ）のつぼを刺激して血行を良く      することで健康を促進し、且つ使用中に容易に脱落せずに安全に履けることが、親      指（Ｂ）に親指輪体（４）を填め、中指（Ｄ）に中指輪体（６）を填め、小指（Ｆ      ）に小指輪体（７）を填めることで、十分に達成出来ることを確認した。且つ足指      のサイズや形状は人によって違いが有り、五指（Ｂ，Ｃ，Ｄ，Ｅ，Ｆ）全てを足指      輪体に填め合わせるのは難しいが、親指（Ｂ）と中指（Ｄ）及び小指（Ｆ）の三指      に填める三指輪体（４，６，７）にすることで、楽にバランスがとれて多少サイズ      や形状が違っても通常のサンダル等の履物として快適に使用できる。その上、足指      輪体を填めない人指指（Ｃ）と薬指（Ｅ）の二指が自由に動くことで、使用時に窮      屈感が無く、且つ素足に近い解放感が得られて履き心地が良く、屋内ではスリッパ      代わりとして、屋外ではサンダル等の履物として長時間の使用が可能である。
本発明は以上のような構造である。
本発明を使用するときは、通常の鼻緒（３）を有するサンダル等の履物と甲被（９）を有するサンダル等の履物をそれぞれ履く要領で、まず足（Ａ）の裏全体を履物本体（２）の表面側に浅く履く状態で載置し、次にずり進む様にして格足指（Ｂ，Ｃ，Ｄ，Ｅ，Ｆ）の予定載置へ向かい、まず親指（Ｂ）は親指輪体（４）へ指の先端部分を差し入れる様にして、人差指（Ｃ）は親指輪体（４）に付設した補足体（５）と中指輪体（６）の間に差し入れる様にし、中指（Ｄ）は中指輪体（６）へ指の先端部分を差し入れる様にし、薬指（Ｅ）は中指輪体（６）と小指輪体（７）の間に差し入れる様にし、更に小指（Ｆ）は小指輪体（７）に指の先端部分を差し入れる様にして、格指（Ｂ，Ｃ，Ｄ，Ｅ，Ｆ）は粗同時進行で格指輪体及び空間に指を通す。続いて、親指（Ｂ）は親指（Ｂ）と人差指（Ｃ）間の付け根（Ｇ）に親指輪体（４）及び補足体（５）の当接部（４１）（５１）が共に当接する位置まで差し入れて到達位置に載置し、同様に中指（Ｄ）は人差指（Ｃ）と中指（Ｄ）間の付け根（Ｈ）及び中指（Ｄ）と薬指（Ｅ）間の付け根（Ｉ）に、中指輪体（６）のの左右当接部（６１）（６２）がそれぞれ共に当接する位置まで差し入れて到達位置に載置し、更に同様に小指（Ｆ）は薬指（Ｅ）と小指（Ｆ）間の付け根（Ｊ）に、小指輪体（７）の当接部（７１）が当接する位置まで差し入れて到達位置に載置して、本発明の足指輪付き健康安全履物を履く作業は終了する。
後は、通常のサンダル等の履物として日常的に屋内外で使用することで、必然的に足（Ａ）の五指（Ｂ，Ｃ，Ｄ，Ｅ，Ｆ）及び五指間の付け根（Ｇ，Ｈ，Ｉ，Ｊ）のつぼを効率良く確実で良好に刺激することが出来、血行を良くして優れた健康促進効果を発揮すると共に、使用中に容易に脱落しないことから足裏のケガ等を防いで安全確保に役立つ。
【符号の説明】
【０００９】１  足指輪付き健康安全履物、２  履物本体、３  鼻緒、４  親指輪体、５  補足体、６  中指輪体、７  小指輪体、８  穴、９  甲被、１０  止部、Ａ  足、Ｂ  親指、Ｃ  人差指、Ｄ  中指、Ｅ  薬指、Ｆ  小指、Ｇ  親指と人差指間の付け根、Ｈ  人差指と中指間の付け根、Ｉ  中指と薬指間の付け根、Ｊ  薬指と小指間の付け根、４１  親指輪体の当接部、５１  補足体の当接部、６１  中指輪体の左側当接部、６２  中指輪体の右側当接部、７１小指輪体の当接部。
【図１】
2014079544.tif 000003
【図２】
2014079544.tif 000004
【図３】
2014079544.tif 000005
【図４】
2014079544.tif 000006